(57)【要約】【課題】ＰＣカードコネクタ組立体において、セキュリティ性の高いカード接続を行うことができ、既存のＰＣカードコネクタ組立体と互換性のある、スマートカードを使用できるようにする。【解決手段】本発明のＰＣカードコネクタ組立体１は、複数枚のＰＣカードを受容可能な寸法の開口を有する絶縁ハウジング２の開口を高さ方向に仕切る板状のスマートカード接続ユニット２０を設けて、複数のキャビティ４４、４６を形成し、キャビティ４６をスマートカード３２用とし、他のキャビティ４４をＰＣカード２６用とするとともに、スマートカード接続ユニット２０に、キャビティ４６内に受容されるスマートカード３２の電極３３に電気的に接触するとともに、第１コンタクト１２に接続される複数の第２コンタクト１１０を有する。【選択図】          図６
2005044595.tif 000002
【特許請求の範囲】
【請求項１】
複数枚のＰＣカードを受容可能な寸法の開口を有する絶縁ハウジングと、該絶縁ハウジングに取り付けられた、前記ＰＣカードを排出するイジェクト機構と、前記絶縁ハウジングに取り付けられた、前記ＰＣカードと電気的接触をする複数の第１コンタクトとを有するＰＣカードコネクタ組立体において、
前記開口を高さ方向に仕切る板状のスマートカード接続ユニットを設けて、複数のキャビティを形成し、該キャビティの１つをスマートカード用とし、他の前記キャビティをＰＣカード用とし、前記スマートカード接続ユニットに、前記１つのキャビティ内に受容されるスマートカードの電極に電気的に接触するとともに前記第１コンタクトに接続される複数の第２コンタクトを有してなることを特徴とするＰＣカードコネクタ組立体。
【請求項２】
前記絶縁ハウジングが、前記第１コンタクトを保持する本体部と、該本体部に連結されて前記カードを案内するカードガイド部とを有し、前記スマートカード接続ユニットが、前記本体部と前記カードガイド部との協働により保持されていることを特徴とする請求項１記載のＰＣカードコネクタ組立体。
【請求項３】
前記スマートカード接続ユニットが前記カードガイド部側に突出する突起を有し、該突起が前記本体部と前記カードガイド部との間に保持されていることを特徴とする請求項２記載のＰＣカードコネクタ組立体。
【請求項４】
前記スマートカード接続ユニットがユニットコネクタを有し、前記第２コンタクトが、前記ユニットコネクタ内に配置されて、該ユニットコネクタを介して前記第１コンタクトに接続されよう構成されていることを特徴とする請求項１から３いずれか１項記載のＰＣカードコネクタ組立体。
【発明の詳細な説明】
【０００１】
【発明の属する技術分野】
本発明は、パーソナルコンピュータ等に使用されるＰＣカードコネクタ組立体に関し、特に、ＰＣカードとともにスマートカードを使用するＰＣカードコネクタ組立体に関するものである。
【０００２】
【従来の技術】
従来、パーソナルコンピュータ等に使用されるＰＣカードコネクタ組立体として、ダブルスロットを有するものが一般的に知られている（特許文献１、図２）（特許文献２、図２）。例えば、特許文献１のＰＣカードコネクタ組立体には、カードを受容する開口を隔壁により上下に分割して２つのカード受容スロットが形成されている。このカード受容スロット内には、ＰＣＭＣＩＡ規格のタイプＩ、タイプＩＩのいずれのＰＣカードを、各スロットに装着できるように構成されている。また、この隔壁を、取り外すよう構成することもでき、取り外した場合は、拡開した開口を有する単一のスロットに厚みのあるタイプＩＩＩのＰＣカードを装着することができるようになっている。
【０００３】
また、他の従来技術として、スマートカードを使用可能なＰＣカードコネクタ組立体も知られている（特許文献３、図５、図６）。このＰＣカードコネクタ組立体は、既存のＰＣカードコネクタ組立体にスマートカード読み取り装置を取り付けたものであり、ＰＣカードとスマートカードのいずれかを装着できる構造となっている。
【０００４】
【特許文献１】
実開平６−５６９９２号公報（図２）
【０００５】
【特許文献２】
特開平９−２２７６２号公報（図２）
【０００６】
【特許文献３】
特開２００２−２４７６９号公報（図５、図６）
【０００７】
【発明が解決しようとする課題】
上記特許文献１および２に開示された考案、発明においては、ＰＣカードのみを受容するように構成されており、ＰＣカードを差し込みさえすれば、誰でもそのＰＣカードのデータを使用することができるようになっている。
【０００８】
しかし、近年、データのセキュリティ性の向上のため、ＰＣカードのデータは、許可された特定の使用者以外は使用できないようにすることが行われつつある。この方策の１つとして、個人認証用としてＩＣ（集積回路）チップを搭載したＩＣカード即ちスマートカードをＰＣカードと併用することが考えられている。これにより、ＰＣカードと特定のスマートカードとのセットでなければ、ＰＣカードのデータを読み出すことができないようにすることが行われている。しかし、スマートカードを読み取るための装置が別途必要になるという問題があり、また、コンピュータにその装置を組み込む場合は、コンピュータが大型化したり、機構が複雑になるという問題があった。
【０００９】
前述の特許文献３は、スマートカードを使用できるコネクタとして考えられたものであるが、カードの挿入スロットは１つであり、ＰＣカード、或いはスマートカードのいずれか一方を挿入して使用するようになっているので、ＰＣカードの読取は誰でも自由に行うことができる。
【００１０】
本発明は、以上の点に鑑みてなされたものであり、セキュリティ性の高いカード接続を行うことができるＰＣカードコネクタ組立体を提供することを目的とする。
【００１１】
また、本発明の他の目的は、既存のＰＣカードコネクタ組立体と互換性のある、スマートカードを併用するＰＣカードコネクタ組立体を提供することにある。
【００１２】
【課題を解決するための手段】
本発明のＰＣカードコネクタ組立体は、複数枚のＰＣカードを受容可能な寸法の開口を有する絶縁ハウジングと、この絶縁ハウジングに取り付けられた、ＰＣカードを排出するイジェクト機構と、絶縁ハウジングに取り付けられた、ＰＣカードと電気的接触をする複数の第１コンタクトとを有するＰＣカードコネクタ組立体において、開口を高さ方向に仕切る板状のスマートカード接続ユニットを設けて、複数のキャビティを形成し、キャビティの１つをスマートカード用とし、他のキャビティをＰＣカード用とし、スマートカード接続ユニットに、１つのキャビティ内に受容されるスマートカードの電極に電気的に接触するとともに第１コンタクトに接続される複数の第２コンタクトを有してなることを特徴とするものである。
【００１３】
なお、ここでいう「ＰＣカード」とは、ＰＣＭＣＩＡ規格や日本電子工業規格団体であるＪＥＩＤＡ制定の規格に従った、タイプＩ、タイプＩＩ、タイプＩＩＩ等のメモリーカードのことをいう。
【００１４】
また、「スマートカード」とはＩＣが埋め込まれた、個人認証データを含むＩＣカードをいう。
【００１５】
上記絶縁ハウジングは、第１コンタクトを保持する本体部と、本体部に連結されてカードを案内するカードガイド部とを有し、スマートカード接続ユニットが、本体部とカードガイド部との協働により保持されるよう構成することができる。
【００１６】
また、スマートカード接続ユニットがカードガイド部側に突出する突起を有し、この突起が本体部とカードガイド部との間に保持されるよう構成することが好ましい。
【００１７】
さらに、スマートカード接続ユニットがユニットコネクタを有し、第２コンタクトが、ユニットコネクタ内に配置されて、ユニットコネクタを介して第１コンタクトに接続されるよう構成することができる。
【００１８】
【発明の効果】
本発明のＰＣカードコネクタ組立体は、複数枚のＰＣカードを受容可能な寸法の開口を有する絶縁ハウジングに、開口を高さ方向に仕切る板状のスマートカード接続ユニットを設けて、複数のキャビティを形成している。そして、キャビティの１つをスマートカード用とし、他のキャビティをＰＣカード用とし、スマートカード接続ユニットに、１つのキャビティ内に受容されるスマートカードの電極に電気的に接触するとともに、第１コンタクトに接続される複数の第２コンタクトを有しているので、次の効果を奏する。
【００１９】
即ち、スマートカードの個人認証データを読み取って、許可された特定の使用者以外は使用できないようにする。このように、データにアクセスする使用者を制限することによって、セキュリティ性の高いカード接続を行うことができる。また、本発明のＰＣカードコネクタ組立体を、既存のＰＣカードコネクタ組立体と同じサイズ内に納めることができるので、既存のＰＣカードコネクタ組立体と互換性のある、スマートカードを使用できるＰＣカードコネクタ組立体とすることができる。
【００２０】
絶縁ハウジングが、第１コンタクトを保持する本体部と、本体部に連結されてカードを案内するカードガイド部とを有し、スマートカード接続ユニットが、本体部とカードガイド部との協働により保持されるよう構成されている場合は、本体部とカードガイド部とを組み立てるときに、スマートカード接続ユニットを簡単に絶縁ハウジングに組み込むことができる。
【００２１】
また、スマートカード接続ユニットがカードガイド部側に突出する突起を有し、この突起が本体部とカードガイド部との間に保持されるよう構成されている場合は、スマートカード接続ユニットを絶縁ハウジングに簡単、且つ外れないように確実に組み込むことができる。
【００２２】
さらに、スマートカード接続ユニットがユニットコネクタを有し、第２コンタクトが、ユニットコネクタ内に配置されて、ユニットコネクタを介して第１コンタクトに接続されよう構成されている場合は、スマートカード接続ユニットと第１コンタクトとの電気的接続を容易に行うことができる。
【００２３】
【発明の実施の形態】
以下、本発明のＰＣカードコネクタ組立体（以下、単に組立体という）の好ましい実施の形態について添付図面を参照して詳細に説明する。図１は、本発明の組立体１の正面図、図２は平面図、図３は絶縁ハウジングのみを部分的に分解した図を含む左側面図、図４は右側面図、図５は底面図を夫々示す。図６は、本発明の組立体１の断面を模式的に示す概念図である。以下、図１から図６を参照して説明する。
【００２４】
組立体１は、絶縁ハウジング（以下、単にハウジングという）２、ハウジング２に装着される金属製のフレーム４、６、８（図２、図５）、コンタクト（第１コンタクト）１０、１２（図６）、およびＰＣカード２６、スマートカード３２（図２、図６）を排出するイジェクト機構１４を有する。
【００２５】
図３に示すように、ハウジング２は、２体構造に構成されており、コンタクト１０、１２（図６）を保持する本体部１６と、この本体部１６に連結されるカードガイド部１８とから構成される。まず、最初に本体部１６について説明する。本体部１６は、組立体１が取り付けられる基板２２に沿って、コンタクト１０を２列有する（図６）。
【００２６】
そして、本体部１６の上面には、ＰＣカード２６の挿抜方向に延びるスロット２４（図２）が複数個配列されている。そして、本体部１６の上面には、このスロット２４に配置される複数の接地舌片２８を有する接地板３０が配置されている。この接地板３０は、接地舌片２８を介して挿入されるＰＣカード２６の外側のシールドの突起３８に接地接続される（図６）。接地板３０は、その両端に位置する取付片４０によって本体部１６に固定されているが、これは、従来からよく行われている手法であるので詳細な説明は省略する。この接地板３０からは、後方に複数のタイン３４が突出している。そして、前述のコンタクト１０、１２、タイン３４（図６）は、本体部１６の後方に本体部１６に近接して配置される中継基板３６のスルーホール（図示せず）に挿通されてはんだ付けされる（図２、図６）。はんだ付けされたコンタクト１０、１２、タイン３４の全ては、中継基板３６の図示しない導電トレースを介して中継基板３６の下端に配列された導電パッド（図示せず）に電気的に連結される。
【００２７】
この中継基板３６は、ＰＣカード２６を２つ挿入できる従来のダブルスロット型ＰＣカードコネクタ用の中継基板３６を使用することができる。なお、図６において、ＰＣカード２６は、コンタクト１０に接続された状態を示している。そして図６に示すように、本体部１６にはＰＣカード２６用のキャビティ４４とスマートカード３２用のキャビティ４６を画成するための仕切板４２が配置されている。コンタクト１２は、極数が少ないので、従来の中継基板３６のスルーホールに選択的に接続される。また、図６に示すように、中継基板３６が接続される、組立体１と同じ基板２２に取り付けられる中継コネクタ３００は、従来と同じものが使用できる。
【００２８】
図３および図７に示すように、本体部１６の両側には、延長部４８が形成されている。なお図３では、一点鎖線で囲んだ、本体部１６とカードガイド部１８を、それらの合わせ部５０で分離した状態も部分的に示している。延長部４８は、ＰＣカード２６用のキャビティ４４の下側に位置するスマートカード３２用のキャビティ４６と整列している。
【００２９】
ＰＣカード２６用のキャビティ４４の両側内面にはＰＣカード２６を案内するガイド溝５２が形成され、キャビティ４６の両側内面にはスマートカード３２用のガイド溝５４が形成されている。そして、延長部４８の内面にもガイド溝５４が連続して形成されている。
【００３０】
ここで、図７を合わせて参照して説明する。図７は本体部１６を部分的に断面して、スマートカード接続ユニット（以下、単にユニットという）２０とともに示す平面図である。延長部４８には、図７に示すように基板２２に直交する取付孔５６および小孔５８が穿設されている。取付孔５６には、基板２２へ組立体１を取り付けるためのねじ（図示せず）が取り付けられ、小孔５８には本体部１６とカードガイド部１８を連結するための断面Ｃ字状のパイプ９６（図２）が取り付けられるようになっている。本体部１６のガイド溝５２の両側前面には、凹溝６０が縦に形成され、ガイド溝５４の両側前面には縦長のリブ６２が形成されている（図３）。
【００３１】
次に、本体部１６に取り付けられるカードガイド部１８について説明する。カードガイド部１８は、略対称形状のガイド部半体７０、７２（図２）を有する。これらのガイド部半体７０、７２は、これらガイド部半体７０、７２の上部に配置されたフレーム４（図２）と、下部に配置されたフレーム６（図５に斜線で示した部分）とにより平行且つ一体的に保持されている。
【００３２】
この取付関係について具体的にさらに説明する。下部のフレーム６は、フレーム６の両端から折曲により立設された立壁７４、７４を有する（図３）。この立壁７４は、ガイド部半体７０、７２の外側に位置している。そして、ガイド部半体７０、７２に設けられたスロット７６（７６ａ、７６ｂ、７６ｃ）に、立壁７４の内向きの爪７８（７８ａ、７８ｂ、７８ｃ）が係合する。そして、フレーム４から立壁７４に向けて垂下した突片８０、８２（図３）が、立壁７４の内側で立壁７４に溶着されて互いに固定される。またフレーム４の爪８６が、ガイド部半体７０、７２のスロット８４と係合している（図２）。このようにしてガイド部半体７０、７２とフレーム４、６とが一体に連結されて組み立てられたカードガイド部１８は、図３に示すように本体部１６と合体される。
【００３３】
カードガイド部１８の端部は、前述の本体部１６の端部と略相補形であり、互いに組み合う、本体部１６の凹溝６０に対応するリブ８８と、リブ６２に対応する凹溝９０を有する。また、カードガイド部１８には、前述の本体部１６の取付孔５６および小孔５８に夫々対応する取付孔９２、小孔９４（図２）を有する。そしてカードガイド部１８と本体部１６を合体させて、互いに整列した小孔５８、９４に前述のＣ字状のパイプ９６が圧入されて、カードガイド部１８と本体部１６が互いに固定される。カードガイド部１８と本体部１６とを合体させるときに、後述するユニット２０をキャビティ４４と４６との間に介在させるように組み込むが、これについては後述する。前述のフレーム８（図５）は、カードガイド部１８と本体部１６にまたがって取り付けられる。このフレーム８の詳細については後述する。
【００３４】
カードガイド部１８には、前述のガイド溝５２、５４とそれぞれ連通するガイド溝５２、５４が形成されている（図３）。また、カードガイド部１８と本体部１６の両側面には、ＰＣカード２６とスマートカード３２用の２つの前述のイジェクト機構１４、１４′が取り付けられている。このイジェクト機構１４、１４′は、夫々ハート形のカム溝９８、１００を有する所謂プッシュプッシュタイプのイジェクト機構１４、１４′である。この種のイジェクト機構１４、１４′は、例えば、特開２００１−２９１５５３号公報等に開示されたものと類似のものであり、従来知られている機構であるので、詳細な説明は省略し、以下、簡単に説明する。
【００３５】
なお、説明にあたりイジェクト機構１４、１４′は同様の構造であるので、イジェクト機構１４についてのみ説明する。イジェクト機構１４は、ガイド部半体７０、７２の外側面に形成されたハート型のカム溝９８（図３）と、このカム溝９８内を移動するカム従動子１０２（図２、図４、図５）と、カム従動子１０２を回動可能に支持する金属製のイジェクトバー１０４と、このイジェクトバー１０４にカード挿入側で取り付けられた樹脂製のノブ１０６とを有する。
【００３６】
このイジェクト機構１４は、アプリケーションに応じて、カードガイド部１８の、左右いずれの側にも取り付けられるようになっている。そしてカム従動子１０２の先端１０２ａは、イジェクトバー１０４の先端から突出している。そして、この先端１０２ａが、ＰＣカード２６を排出するイジェクトアーム１０８の端部を押圧して、イジェクトアーム１０８を揺動させるようになっている。これにより、キャビティ４４内に位置するイジェクトアーム１０８の押圧端部１０８ｂ（図６）が、ＰＣカード２６の先端２６ａを、ＰＣカード２６が排出される方向に押圧するようになっている。前述のカム従動子１０２は、ノブ１０６を押圧する毎に、カム溝９８内を循環するように移動して、イジェクトアーム１０８を押圧したり、イジェクトバー１０４を押し込んだ位置に保持したり、突出させたりできるようになっている。
【００３７】
次に、図８を合わせて参照して、フレーム８について説明する。図８はフレーム８を示し、図８（Ａ）は平面図、図８（Ｂ）は正面図、図８（Ｃ）は側面図を夫々示す。フレーム８は、後述するユニット２０のコンタクト（第２コンタクト）１１０と対応する位置に配置されるものである。フレーム８は、金属板から形成された長方形状であり、複数のビード１１２（１１２ａ、１１２ｂ、１１２ｃ、１１２ｄ、１１２ｅ）を有する。これらのビード１１２は、スマートカード３２用のキャビティ４６内に、各ビード１１２ａ、１１２ｂ、１１２ｃ、１１２ｄ、１１２ｅが同じ高さに突出するように形成されている。
【００３８】
また、フレーム８の端縁１１４には本体部１６内に係合する舌片１１６が突設され、また、側縁１１８の、舌片１１６から最も遠い隅部にカードガイド部１８の凹部１２０に位置する舌片１２２が形成されている。舌片１２２は、Ｌ字状に形成されて上向きの上面１２２ａを有する。これらの舌片１１６、１２２は、フレーム８をハウジング２に取り付ける取付部となるとともに、上面１２２ａは、前述のユニット２０を支持する支持面ともなる。従って、隔壁となるユニット２０が取り付けられると、この上面１２２ａにより、ユニット２０はガイド溝５４内で所定の高さに保持され、ユニット２０の下面とガイド溝５４の下面との協働により、スマートカード３２が挿入可能なガイド溝５４より狭幅のガイド溝５４ａが構成される（図６）。
【００３９】
次に、図７を再び参照して、ユニット２０について説明する。図７に示すようにユニット２０は、全体として板状に構成されており、板状のホルダ１３０に基板１３２が取り付けられている。そして、このユニット２０は、ハウジング２に装着されると、前述の如くキャビティ４４とキャビティ４６を画成する隔壁となる。まず、最初に図９および図１０を合わせて参照して、ホルダ１３０について説明する。
【００４０】
図９、図１０はホルダ１３０を示し、図９（Ａ）は平面図、図９（Ｂ）は正面図、図１０（Ａ）は、左側面図、図１０（Ｂ）は図９（Ａ）のＸＢ−ＸＢ線に沿う断面図、図１０（Ｃ）は図９（Ａ）のＸＣ−ＸＣ線に沿う断面図を夫々示す。ホルダ１３０は、樹脂製であり、切欠１３４、１３６を本体部１６側に有する。そして、ホルダ１３０は、互いに平行な側壁１４０、１４０および端壁１４２によって画成された、基板１３２を収容するための凹部１３８を有する。
【００４１】
そして、ホルダ１３０の上壁１４４には側壁１４０に沿って、複数個のリブ１４６が形成されている。開口１４７は、これらのリブ１４６を形成するためのものである。上壁１４４の両側の側壁１４０の中には、スロット１４８が形成されて、このスロット１４８内に両持梁状の係止片１５０が形成されている。この係止片１５０には内向きの突起１５０ａが形成されている。
【００４２】
また、上壁１４４には後述するコンタクト１１０が位置する矩形の開口１５２と、この開口１５２に隣接して、カードの挿抜方向に薄肉部１５４、１５６が形成されている。また、同様な薄肉部１５８が、薄肉部１５４に隣接して形成されている。また側壁１４０の中央近傍には耳部（突起）１６０、１６０が形成されている。これらの耳部１６０には、前述のフレーム８の舌片１２２を受容する凹溝１６０ａが形成されている。また、端壁１４２の下側の端縁には、スマートカード３２の挿入時にスマートカード３２を案内するテーパ１６２が形成されている。
【００４３】
次に、ホルダ１３０に取り付けられる基板１３２について、図１１から図１３を合わせて参照して説明する。図１１は基板１３２を示し、図１１（Ａ）は側面図、図１１（Ｂ）は平面図を夫々示す。図１２は基板１３２に取り付けられるコンタクト（第２コンタクト）１１０を示し、図１２（Ａ）は平面図、図１２（Ｂ）は側面図を夫々示す。基板１３２は、ホルダ１３０の凹部１３８に収容される外形寸法を有する。基板１３２の側縁１６４には、前述の突起１５０ａに対応した位置に切欠１６６が形成されている。この切欠１６６は、基板１３２がホルダ１３０に挿入されたときに、基板１３２の位置決めのために前述の突起１５０ａと係合するようになっている。
【００４４】
ホルダ１３０の開口１５２に対応した位置に、カード２６、３２の挿抜方向に延びる複数の細長いスロット１６８が２列に形成されている。各スロット１６８の外側には、導電パッド１７８が形成されている。そして、前述の切欠１３４に対応する位置には切欠１７０が形成されており、薄肉部１５８に対応する位置には切欠１７２が形成されている。切欠１７０の端縁１７０ａには、所定の間隔で導電パッド１７４が配置され、後述するユニットコネクタ１７６（図１３）がこの切欠１７０内に取り付けられるようになっている。また、切欠１７２の端縁には２つの導電パッド１８０が形成されている。これらの導電パッド１７８、１８０は、基板１３２に形成された導電トレース１８２を介して導電パッド１７４に電気的に接続されている。また、導電パッド１７８、１８０の各々には微小な孔１８４が複数個穿設されている。
【００４５】
次に、前述のスロット１６８に配置されるコンタクト１１０について、図１２を参照して説明する。コンタクト１１０は、１枚の金属板から細長い板状に打抜きおよび折曲形成されたものであり、導電パッド１７８に半田付けされる取付部１８６と、スマートカード３２の電極３３（図６）に接触する湾曲した接触部１８８を有する。取付部１８６には、前述の微小な孔１８４に挿入されてコンタクト１１０を位置決めするための突起１８６ａが突設されている。そして、接触部１８８の先端に形成された舌片１９０が、スロット１６８の、導電パッド１７８と反対側の端縁に当接するようになっている。
【００４６】
次に、スマートカードユニット基板１３２に取り付けられるユニットコネクタ１７６について、図１３を合わせて参照して説明する。図１３は、ユニットコネクタ１７６を示し、図１３（Ａ）は平面図、図１３（Ｂ）は正面図、図１３（Ｃ）は側面図、図１３（Ｄ）は図１３（Ｂ）のＸＩＩＩＤ−ＸＩＩＩＤ線に沿う断面図を夫々示す。ユニットコネクタ１７６は、平板状の絶縁ハウジング（以下、単にハウジングという）１９６を有し、このハウジング１９６内に１列のコンタクトキャビティ１９２を有する。各コンタクトキャビティ１９２内には端子１９４が配置されている。
【００４７】
端子１９４は、コンタクト１２に接続される接触部１９８と、導電パッド１７４にはんだ付されるタイン２００を有する（図１３（Ｄ））。ハウジング１９６の両端には、切欠１７０の側縁１７０ｂ（図１１（Ｂ））が係入する溝２０２が形成されている。ユニットコネクタ１７６とコンタクト１１０が取り付けられた基板１３２は、矢印２０４（図９）で示す方向からホルダ１３０の凹部１３８内に挿入されて、超音波等によりホルダ１３０に接着される。このときコンタクト１１０は、ホルダ１３０と基板１３２の間に位置し、コンタクト１１０の接触部１８８は、図７において紙面の裏側に向けて突出している。
【００４８】
図７において、導電パッド１８０に取り付けられているのは、スマートカード３２が挿入されたことを検知するための、接点が互いに離隔した１対のコンタクト２０６、２０８である。スマートカード３２の検出は、略Ｌ字状のコンタクト２０８がスマートカード３２に押されてコンタクト２０６に向けて付勢され、コンタクト２０６と接触して導通し、この導通により電気的に検出されるようになっており、従来知られている手法である。
【００４９】
以上のように構成されたスマートカード接続ユニット２０がハウジング２に装着されると、ユニットコネクタ１７６がコンタクト１２と係合して、図６のように配置される。この図では、コンタクト１１０が、スマートカード３２の電極３３と接触している状態が示されている。このとき、スマートカード接続ユニット２０の耳部１６０は、図３に示すように、カードガイド部１８の合わせ部５０に隣接した切欠２１０に配置され、本体部１６と協働して、抜け出ないように固定される。
【００５０】
また、前述の、フレーム８の舌片１２２は、耳部１６０の凹溝１６０ａに受容されているので、スマートカード接続ユニット２０とともにハウジング２に固定される。そして、スマートカード３２がキャビティ４６に挿入されると、コンタクト１１０と電極３３の接圧とにより、スマートカード３２が下側に押されるので、フレーム８のビード１１２でこの下向きの力が支持される。
【００５１】
再び、図１および図２を参照して、組立体１のカード挿入口２１２には、ＰＣカード２６を挿入する際に回動可能なシャッタ２１４が取り付けられている。このシャッタ２１４は、ＰＣカード２６を挿入すると、ＰＣカード２６に押されてシャッタ２１４の両端に突設された回動軸２１６の周りに回動してＰＣカード２６を挿入できるようになっている。また、シャッタ２１４の下部には、スマートカード３２を挿入するためのスロット２１６を有する入口部材２１８が取り付けられている。スマートカード３２は、このスロット２１６からキャビティ４６内に挿入することができる。
【図面の簡単な説明】
【図１】本発明のＰＣカードコネクタ組立体の正面図
【図２】図１に示すＰＣカードコネクタ組立体の平面図
【図３】図１に示すＰＣカードコネクタ組立体の、絶縁ハウジングのみを部分的に分解した図を含む左側面図、
【図４】図１に示すＰＣカードコネクタ組立体の右側面図
【図５】図１に示すＰＣカードコネクタ組立体の底面図を夫々示す
【図６】図１に示すＰＣカードコネクタ組立体の断面を模式的に示す概念図
【図７】図１に示すＰＣカードコネクタ組立体の本体部を部分的に断面して、スマートカード接続ユニットとともに示す平面図
【図８】図１に示すＰＣカードコネクタ組立体のフレームを示し、（Ａ）は平面図、図（Ｂ）は正面図、（Ｃ）は側面図を夫々示す。
【図９】図１に示すＰＣカードコネクタ組立体のホルダを示し、（Ａ）は平面図、（Ｂ）は正面図を夫々示す。
【図１０】図１に示すＰＣカードコネクタ組立体のホルダを示し、（Ａ）は左側面図、（Ｂ）は図９（Ａ）のＸＢ−ＸＢ線に沿う断面図、（Ｃ）は図９（Ａ）のＸＣ−ＸＣ線に沿う断面図を夫々示す。
【図１１】スマートカード接続ユニットの基板を示し、（Ａ）は側面図、（Ｂ）は平面図を夫々示す。
【図１２】図１１の基板に取り付けられるコンタクトを示し、（Ａ）は平面図、（Ｂ）は側面図を夫々示す。
【図１３】スマートカード接続ユニットに使用されるユニットコネクタを示し、（Ａ）は平面図、（Ｂ）は正面図、（Ｃ）は側面図、（Ｄ）は図１３（Ｂ）のＸＩＩＩＤ−ＸＩＩＩＤ線に沿う断面図を夫々示す。
【符号の説明】
１    ＰＣカードコネクタ組立体
２    絶縁ハウジング
１４、１４′    イジェクト機構
１０、１２    第１コンタクト
１６    本体部
１８    カードガイド部
２０    スマートカード接続ユニット
３２    スマートカード
４４、４６    キャビティ
１１０    第２コンタクト
１６０    突起（耳部）
１７６    ユニットコネクタ
【図１】
2005044595.tif 000003
【図２】
2005044595.tif 000004
【図３】
2005044595.tif 000005
【図４】
2005044595.tif 000006
【図５】
2005044595.tif 000007
【図６】
2005044595.tif 000008
【図７】
2005044595.tif 000009
【図８】
2005044595.tif 000010
【図９】
2005044595.tif 000011
【図１０】
2005044595.tif 000012
【図１１】
2005044595.tif 000013
【図１２】
2005044595.tif 000014
【図１３】
2005044595.tif 000015